(57)【特許請求の範囲】
【請求項１】
上開き扉、上開き扉の受けのフレ−ム、及びサイドカバ−と上開き扉の取付け固定部をショ−ケ−ス台に構築してなるショ−ケ−スに於いて、
（イ）  上開き扉受けのショ−ケ−ス台の上開き扉の取付け固定部に、ドア−ホルダ−キットのガイドホルダ−の外部と嵌合するホルダ−ハウジングを設け、
（ロ）  上開き扉に密接着する上開き扉受けのフレ−ムを上開き扉受けのショ−ケ−ス台に設け、上開き扉受けのフレ−ムに両側のサイドガバ−を取付け、
（ハ）  ドア−ホルダ−キットの取付けア−ムに上開き扉を取付け、
（ニ）  ドア−ホルダ−キットのガイドホルダ−を上開き扉受けのショ−ケ−ス台に構築のホルダ−ハウジングに固定し、
（ホ）  ロッドガイドとロック受ガイドに空気調整装置１５を持つドア−ホルダ−キットをネジ１６で締結し、
以上より構成されていることを特徴とするショ−ケ−スである。
【請求項２】
Ａ）ドア−ホルダ−キット１０は、
（イ）  中空四辺形断面の長手形状の鋼製のガイドホルダ−の外部は、ホルダ−ハウジングと嵌合し且つ、ロッドガイドとロッド受ガイドを内接して収納し、
（ロ）  外周が四辺形のロッドガイドは、内側にブロックと嵌合の切欠きをもち、残り耳部には、支点ピンと嵌合の孔を両側に持ち、ロッドガイドの片側の内側の切欠きに支点ピンを介して取付ア−ムを取付け、ロ−ラはロ−ラピンを芯にして取付ア−ムに取付けられ、
（ハ）  ロッドガイドの他方側は、ロッドと孔嵌合し中程のネジは、ロッド受ガイドを介してネジ付ロッドのネジと螺合し、ロッドガイドとロック受ガイドの両者は締結され、（ニ）  ブロックは、ロッドが一端側に孔嵌合しロッドガイドの切欠側面と摺動嵌合して、中央部にネジ付ロッドと螺合するネジを持っているロッドガイドは両側にはロッドと嵌合のガイド孔を持つ、
（ホ）  ガイドホルダ−はロッドガイドを固定する為のサラネジを取付けの座面を外周に持ち、ホルダ−ハウジングは、ドア−ホルダ−キット（１０）を固定する為にホルダ−ホウジング外周にネジを外部に持ち、
（ヘ）  ロッド受ガイドの外周は、四辺形でガイドホルダ−の内側と接触しており内側は密閉室を形成させるために片側は中空円形でロッド受の外周と嵌合面のハメアアイになり、気密用のＯ（オ−）リングを用い、空気圧調整の空気孔を設け、
（ト）  ロッド受ガイドの中程には、ネジ付ロッドが挿入され、片方の内側にはロット受が摺動嵌合し、密閉室の空気圧調整用にニップルを介して蝶ナット付ニ−ドルを取付けのホロウスクリュウと螺合のネジを設け、
（チ）  ロッド受の内外径にはＯ（オ−）リング溝を持ち、内側はネジ付ロッドと嵌合する為の孔を持ち一端は圧縮コイルバネをガイドするための突起部を形成し、張力調整用の圧縮コイルバネは、ネジ付ロッドが、片方にはＵナットが螺合し、ロット受と摺動嵌合していて他方はロッド受ガイドと孔嵌合し、Ｕナット（１７）は、バネ受をナット座金面としていて、
以上から構成されたものであり、
Ｂ）空気圧調整装置１５は、
（イ）  ドア−ホルダ−キットに構成使用のロッド受ガイドにニップルを取付け、
（ロ）  そのニップルにホロウスクリュウを螺合し、ホロウスクリウに蝶ナット付ニ−ドルを取付けた構成のものであり、
ドア−ホルダ−キットに空気圧調整装置を設け、上開き扉受けのショ−ケ−ス台内には、冷凍室、ファンコイルの冷凍庫を設けた、
ことを特徴とする請求項１のショ−ケ−ス。
【発明の詳細な説明】
【０００１】
【発明の属する技術分野】
本発明は、高級な陳列物品の展示用のショ−ケ−スに関する。
また、新鮮で清潔な売り物などを冷蔵庫に用いるもので、中の物品の取り出しを容易にするために上開き扉付のショ−ケ−スに関する。
【０００２】
【従来の技術】
従来の実施例１（図７、８）に示すショ−ケ−スでは、裏側で引き戸又は引き扉（５０）であったり、又表側にてガラス製の扉タイプが使用されている。
他の実施例２として、図９に示す様に上開き扉のものがある。（例えば、特許文献１、２参照）
【０００３】
【特許文献１】
特開平０５−１４９６７３号公報
【特許文献２】
実開昭５８−１３３７８３号公報
【０００４】
【発明が解決しようする課題】
従来の実施例１タイプの展示商品用のショ−ケ−スでは、お客が自由に商品を手にとって見たい時に商品の取り出しに不便を感じ、またショ−ケ−ス内の隅々までの掃除がし難いなどの苦情があった。
【０００５】
実施例２タイプの展示商品用の上開き扉付のショ−ケ−スでは、その点で上記の不便さは解消されるが扉の開閉用の機能を行うガススプリング（又はショックアブソ−バと呼称する）の外観がショ−ケ−スの室内で視覚され、またスペ−スをとる不合理性もあり、室内の商品の見た目の価値を低下させるイメ−ジを植えつけるなどで改良の声があった。
【０００６】
なお、ショックアブソ−バ式の使用のものは、ショ−ケ−スの容量の大きさで型式毎に選定を必要とした。即ち、大型用のショ−ケ−スには、外観が大きくなり不便さが増し、これを解消するためには小型用のものをその分だけ数を増して対応するためショ−ケ−ス内のスマ−トさが失しなわれ、展示品の商品価値を低低下させる傾向があった。
【０００７】
【課題を解決するための手段】
前記のこれらの要求・目的を全て達成する為に、図４に示す様な上開き扉付き方式を採用した。
尚、作業性・取扱いを容易にするためにこれらをドア−ホルダ−キット（１０）にし、ガイドホルダ−（１）の内側に圧縮コイルバネ（１１）、連結のロッド７）、ロッド受（１２）とフロントガラス（４５）の取付ア−ム（１９）にロ−ラ（４）等を使用したテコ式のもので対応の冷蔵ショ−ケ−スに利用した。
【０００８】
これらの構成を具体的に図４〜図６をもとに以下に説明する。
（イ）上開き扉受けのショ−ケ−ス台の下部には、冷凍室（４２）がありその上部の室にはファンコイル（４７）をセットしたフアンコイル室がある。
（ロ）ファン（４６）にて、冷凍室の冷空気を上開き扉付のショ−ケ−ス（２０）内の品物に吹き掛ける為に各部屋間には、通路が設けられている。
（ハ）ショ−ケ−ス台（４０）の上部は品物又は商品を展示する為の空間となり空間部には展示用の棚台（４９）が数段に設けられ照明用のランプ（２５）が付設されている。
（ニ）ショ−ケ−ス台の前部は、品物又は商品を見易くする為に扉（４５）は、透明のガラスが使用されている。
（ホ）ショ−ケ−ス台の後部側には、ドア−ホルダ−キットと嵌合で収納する為のホルダ−ハウジング（４３）が溶接又は、ネジにて構築されている。
（ヘ）開閉する上開き扉（又はフロントガラス）４５と接触する対面は、シヨ−ケ−ス台（４０）に上開き扉受けのフレ−ム（４８）が構築されている。
（ト）フロントガラス（４５）に対面するサイドフレ−ム（２７）には、サイドガバ−（２８）付設されている。
【０００９】
本発明の要部であるドア−ホルダ−キット（１０）の構成を説明する。
（イ）ガイドホルダ−（１）は、図２、１０に示す様に中空四辺形断面をした長手形状の鋼製のもので、ガイドホルダ−の外部がホルダ−ハウジング（４３）と嵌合する。又、ガイドホルダ−（１）は、ロッドガイド（２）とロッド受ガイド（８）を内接して収納している。
（ロ）ロッドガイド（２）は、外周が四辺形で内側にはブロック（６）と嵌合の切欠き（２ａ）をもち残り耳部に支点ピン（２２）と嵌合の孔（２ｂ）を両側に持っている。
ロッドガイドの片方側の内側の切欠き（２ａ）には、支点ピン（２２）を介して取付ア−ム（１９）を取付けている。
ロ−ラ（４）は、ロ−ラピン（３）を芯にして取付ア−ム（１９）に取付られている。
ロッドガイドの他方側は、ロッド（７）と孔嵌合し中程のネジは、ロッッド受ガイド（８）を介してネジ付ロッド（１４）のネジ（１４ａ）と螺合して、ロッドガイドとロック受ガイドの両者を締結している。
ブロック（６）は、ロッド（７）が一端側に孔嵌合し、ロッドガイド（２）の切欠（２ａ）側面と摺動嵌合の構成になっている。
（ハ）又、ロッドガイド（２）は、中央部にネジ付ロッド（１４）と螺合するためのネジ（２ｄ）をもっており、その両側には、ロッド（７）と嵌合のガイド孔（２ｅ）もっている。
（ニ）ガイドホルダ−（１）は、ロッドガイド（２）を固定するために皿ネジ（１６）を取付けの座面（１ａ）を外周にもっている。
（ホ）図６で、ホルダ−ハウジング（４３）は、ドア−ホルダ−キット（１０）を固定する為にホルダ−ハウジング外周にネジ（２１ｂ）を外部に持つ。
（ヘ）次に図６にて、ロッド受ガイド（８）の外周は、四辺形でガイドホルダ−（１）の内側と接触しており内側は密閉室（ヘ）を形成させる為に片側は中空円形でロッド受（１２）の外周と嵌合面のハメアイになっている。
なお、気密保持の為に合成ゴム製のＯ（オ−）リングを使っていて、密閉室（ヘ）の空気圧の調整の為にイ、ロの空気路を設けている。
ロッド受ガイド（８）は、中程にネジ付ロッド（１４）が挿入され、片方の内側にはロッド受（１２）が摺動嵌合する構成になっている。
（ト）又、ロッド受けガイド（８）は、密閉室（ヘ）の空気圧調整用にニップル（３１）を介して蝶ナット付ニ−ドル（３３）を取付けのホロウスクリュウ（３４）と螺合のネジを設けている。
（チ）ロッド受（１２）の内外径部には、気密保持の為にＯ（オ−）リング溝（１２ａ、１２ｂ）をもち、内側はネジ付ロッド（１４）と嵌合するための孔（１２ｃ）を持っていて、一端は圧縮コイルバネ（１１）をガイドする為の突起部（１２ｄ）を形成している。
（リ）圧縮コイルバネは、ショ−ケ−ス（２０）内の品物の取出しに使うときに透明のフロントガラスの端部（４５ａ）をつかみ行う時に衝撃なくおだやかに行われる為のもので、ドア−ホルダキっト（１０）は大小容量装置に１種類で万能として使用出来る様に張力調整が出来る様にしている。
実例は、過負荷重に耐える様に角断面形の高級バネ材を使用している。ネジ付ロッド（１４）は、片方にはＵナット（１７）が螺合しロット受（１２）と摺動嵌合し、他方はロッド受ガイド（８）と孔嵌合している。
（ヌ）Ｕナット（１７）は、ネジの弛みどめ対策用の市販用商品名でバネ受（１３）をナット座金面として使用している。
以上の（イ）〜（ヌ）の部品の構成からドア−ホルダ−キット（１０）は成立して、これをフロントガラス（４５）装着のフレ−ム（４８ｂ）をボルト（２１）にて締結して使用する。
【００１０】
なお、Ｏ（オ−）リング（９）、パッキン（３４）の非鉄金属外は、鋼製の物にて対応している。また、高圧、耐久性の必要なロ−ラピン、ロ−ラ、ブロック等のところには、熱処理と熱処理材を使用して対応している。
図面及び説明は、冷蔵ショ−ケ−スとしているが、室温にての装飾品、小物の造花品の展示等で図７に示す様なスタイルで使用も可能であり、冷凍・冷温ショ−ケ−スだけに本発明は使用限定しないものである。
【００１１】
【発明の実施の形態】
次に本発明の実施の形態をのべる。
【００１２】
図４の上開き扉付のショ−ケ−スの中に品物を入れる場合の実施の手順は、
（イ）上開き扉又はフロントガラス（４５）の端部（４５ａ）に両手を下から掛けて上側に力を加える。
（ロ）図４のフロントガラス（４５）は、ガラス取付の取付枠（４５ｂ）と共締めの取付ア−ム（１９）に設けた支点ピン（２２）を中心に時計方向に回動する。
（ハ）この回動時は、ガイドホルダ−（１）内に設けた圧縮コイルバネ１１の付勢力（Ｆ）がネジ付ロッド（１４）を介してロッド受（８）、ロッドガイド（２）を案内されロッド（７）がブロック（６）を上側に押し揚げる。
（ニ）取付ア−ム（１９）に設けたロ−ラ（４）は、その付勢力（Ｆ）によりフロントガラス取付の取付枠（４５ｂ）に働くために両手に加える力は弱力にてフロントガラス（４５）を開ける対応が容易となる。
【００１３】
次に、図６の空圧調整機構の空圧調整装置（１５）の作動を下記に列記する。
（イ）フロントガラス（４５）を開ける時には、両手に加わる抵抗力に緩衝力として緩やかにするために図６に示す密閉室（ヘ）を設けている。
（ロ）この部屋の空気圧を上々に降圧するには、ショ−ケ−ス（２０）の外部にて操作出来る空圧調整装置（１５）の蝶ナット付ニ−ドル（３３）を緩める。ナット１７にて圧縮コイルバネの張力抵抗を加減する事が出来る。
【００１４】
次にフロントガラス（４５）を閉める時の実施手順は、これとは反対になる。
（イ）フロントガラス（４５）の端部（４５ａ）を両手にて下側に力を加える。
（ロ）ガラス取付の取付枠（４５ｂ）と共締の取付ア−ム（１９）に設けた支点ピン（２２）を支点にして取付ア−ム（１９）に設けたロ−ラ（４）がブロック（６）を下側へ押しつける。
（ハ）これに伴いロッド（７）を介してロッド受（１２）を押し下げる。
この際には、圧縮コイルバネ（１１）の作動力が逐次の緩衝力となる。
【００１５】
【発明の効果】
図４〜６の上開き扉付のショ−ケ−ス又は冷蔵ショ−ケ−スの上開き扉（ドア−）式に用いる本発明は、上述の通りの構成であるので、引き扉式又はガススプリング（又は、ショックアブソ−バ）式の扉に較べ次の効果を奏する。
【００１６】
（イ）ショ−ケ−スの内部にガススプリングの外観が見えない為にスッキリするので、商品又は品物に与える好印象の影響が大で付加価値を高める。
（ロ）ショ−ケ−スの内部に余分なスペ−スを採らないため商品・品物をその分沢山に詰め込めることができる効果がある。
（ハ）ドア−ホルダ−キット１１は、ドア−の開閉ストロ−クと開閉力を圧縮コイルバネで出来る機構の為に、一種で小型から大型容量まで対応が可能。
（ニ）ドア−ホルダ−キット（１０）は、機能を持った一っのアッシ−（諸々の部品で構成され組合せの物がアッセンブリ−でその略称に使われる）として用いる事が可能で目的によりショ−ケ−ス又は、冷蔵ショ−ケ−スにも簡易に対応ができ商品価値、又は品物の付加価値をアップする事ができる。
（ホ）商品又は品物の取出し際は、引き扉式は作業性が悪いが、本発明の上開き扉では隅々迄の配列又は取出し良好で総合的にユ−ザ−に満足を与える。
（ヘ）また、食料品などに使う上開き扉のショ−ケ−スでは、隅々までの掃除なども容易であり、突起のない室内が清潔性に優れ衛生的である。
（ト）ガススプリング式は、例えば冷凍時のマイナス１０度Ｃで０度Ｃに対しガスによる機能低下が約１０％程弱くなるのでドア−開閉の使用時の違和感を生じるが本発明は、雰囲気温度に作用されない為そのような事はない。
【００１７】
【図面の簡単な説明】
【図１】  本発明の上開き扉付の冷蔵ショ−ケ−スの正面図である。
【図２】  本発明の図１の冷蔵ショ−ケ−スの平面図である。
【図３】  本発明の図１の冷蔵ショ−ケ−スのＹ視（側面図）
【図４】  本発明の図１の冷蔵ショ−ケ−スの横断面Ａ−Ｂ−Ｃ−Ｄ
【図５】  本発明の図２の断面Ｅ−Ｆ．．．．上開き扉タイプの開閉機構の要部を示す。
【図６】  本発明の図２の断面Ｇ−Ｈ．．．．上開き扉タイプの開閉機構を示す。
【図７】  従来使用の冷蔵ショ−ケ−ス（２０）の斜視図
【図８】  従来使用の冷蔵ショ−ケ−スの横断面図（実施例１）．．．．引き扉式
【図９】  従来使用の冷蔵ショ−ケ−スの横断面図（実施例２）．．．．ガススプリング式
【図１０】  本発明の上開き扉付の図５の断面Ｌ−Ｍである。
【図１１】  本発明の上開き扉付の図５の断面Ｎ−Ｏである。
【図１２】  本発明の図６の断面Ｐ−Ｑである。
【００１８】
【符号の説明】
１  ガイドホルダ−
２  ロッドガイド
４  ロ−ラ
５  （上開き）扉の取付け固定部
６  ブロック
７  ロッド
８  ロッド受ガイド
９  Ｏ（オ−）リング      ９ａ、９ｂ、９ｃ、９ｄ  オ−リング溝
１０  ドア−ホルダ−キット
１１  バネ  又は、（圧縮）コイルバネ
１２  ロッド受
１３  バネ受
１４  ネジ付ロッド
１５  空圧調整装置
１６  ネジ  又は、サラネジ  、    １７  Ｕナット  又は、ナット
１９  取付ア−ム
２０  （上開き扉付の）ショ−ケ−ス  （又は、冷蔵ショ−ケ−ス）
２１  ボルト  又は、ネジ      ２１ａ、２１ｂ  ネジ
２２  支点ピン、      ２３  取付板
２４  連結ロッド
２８  サイドカバ−
３１  ニップル
３３  蝶ナット付ニ−ドル
３５  ガススプリング  又は、ショックアブソ−バ
３６  ア−ム支点    ３６ａ、３６ｂ  ア−ム支点
３７  ホロウスクリュウ
４０  （上開き扉受けの）ショ−ケ−ス台
４２  冷凍室（又は、冷凍庫）
４３  ホルダ−ハウジング
４５  上開き扉  又は、フロントガラス      ４５ａ、４５ｂ  上開き扉
４６  フアン
４７  フアンコイル
４８  （上開き扉受けの）フレ−ム    ４８ａ、４８ｂ、４８ｃ
４９  棚台    ４９ａ、４９ｂ、４９ｃ
ヘ  密閉室
イ、ロ、ハ、ニ  空気孔（場所を示す）
【図１】
0004366525.tif 000002
【図２】
0004366525.tif 000003
【図３】
0004366525.tif 000004
【図４】
0004366525.tif 000005
【図５】
0004366525.tif 000006
【図６】
0004366525.tif 000007
【図７】
0004366525.tif 000008
【図８】
0004366525.tif 000009
【図９】
0004366525.tif 000010
【図１０】
0004366525.tif 000011
【図１１】
0004366525.tif 000012
【図１２】
0004366525.tif 000013